(57)【要約】      （修正有）【課題】ノギスを用いた測定作業の効率を向上することができる固定治具を提供する。【解決手段】幅方向に対して垂直な長手方向に延びる本尺６と、長手方向に沿って摺動できる態様で本尺６に取り付けられたスライダー４と、を備えるノギス２を固定するためのノギス固定治具１であって、ノギス２を支持する支持部材３と、支持部材３に固定され、支持部材３に対するノギス２の位置を決める位置決め部材５と、支持部材３にノギス２を固定する固定部材７と、を有し、位置決め部材５は、支持部材３に接する第１面と、第１面とは反対側の第２面と、を有する基部１３と、基部１３の第２面側に立設され、幅方向においてスライダー４を把持する一対の把持部１５と、を含み、固定部材７は、スライダー４に対して本尺６を摺動できるようにスライダー４を一対の把持部１５の間に固定することを特徴とするノギス固定治具。【選択図】図１
2018066606.tif 000002
【特許請求の範囲】
【請求項１】
幅方向に対して垂直な長手方向に延びる本尺と、該長手方向に沿って摺動できる態様で該本尺に取り付けられたスライダーと、を備えるノギスを固定するためのノギス固定治具であって、
該ノギスを支持する支持部材と、
該支持部材に固定され、該支持部材に対する該ノギスの位置を決める位置決め部材と、
該支持部材に該ノギスを固定する固定部材と、を有し、
該位置決め部材は、
該支持部材に接する第１面と、該第１面とは反対側の第２面と、を有する基部と、
該基部の該第２面側に立設され、該幅方向において該スライダーを把持する一対の把持部と、を含み、
該固定部材は、
該スライダーに対して該本尺を摺動できるように該スライダーを該一対の把持部の間に固定することを特徴とするノギス固定治具。
【発明の詳細な説明】
【技術分野】
【０００１】
本発明は、精密な長さの測定に用いられるノギスを手で支えることなく該ノギスによる長さの測定をできるようにするノギス固定治具に関する。
【背景技術】
【０００２】
高い精度の機械加工が求められる機械部品の製造現場等では、長さの精密な測定が可能な器具としてノギスが広く一般的に使用されている。ノギスは、幅方向に対して垂直な長手方向に延びる本尺と、該長手方向に沿って摺動できる態様で該本尺に取り付けられたスライダーと、を有する。
【０００３】
本尺には、例えば、目盛りを構成する各線が該長手方向に並んで印字されている。また、本尺には、長手方向の一端に本尺の幅方向に向かって突出する本尺の外側用ジョウが設けられている。さらに、本尺には該幅方向の該外側用ジョウが突出している方向とは逆側に突出した本尺の内側用ジョウが設けられている。
【０００４】
そして、長手方向に摺動できる態様で本尺に取り付けられたスライダーには、該長手方向の両端のうち本尺の外側用ジョウ側の端に、該本尺の外側用ジョウの突出方向と同じ方向に突出するスライダーの外側用ジョウが設けられている。また、スライダーには、幅方向の該スライダーの外側用ジョウが突出している方向とは逆側に突出するスライダーの内側用ジョウが設けられている。
【０００５】
スライダーを摺動させて該本尺の外側用ジョウと、該スライダーの外側用ジョウと、で測長対象物を外側から挟み込むと該測長対象物の長さを測定できる。また、例えば、円筒状の被測定物の内径を測定したい場合、スライダーを摺動させて該本尺の内側用ジョウと、該スライダーの内側用ジョウと、を測長対象物の内側から外側に広げるように当てると測長対象物の内径を測定できる。
【０００６】
スライダーには、該本尺の目盛りに隣接するようにバーニア目盛りが印字されており、両目盛りを所定の方法で組み合わせて用いることで、単に本尺の目盛りを読み取るよりも高い精度で長さを測定できる。
【０００７】
また、目盛りを作業者が読み取ると読み取り誤差等を生じるため、測長の精度を高めるために、例えば、目盛りを電子機器に読み取らせて、読み取り値を該スライダーに備えられるデジタル表示部に表示させる電子式ノギスが実用されている。特許文献１にはそのようなノギスの一例が開示されている。
【先行技術文献】
【特許文献】
【０００８】
【特許文献１】特開昭５４−１４５５６２号公報
【発明の概要】
【発明が解決しようとする課題】
【０００９】
ノギスを用いた長さの測定は、基本的には作業者の両手を使って実施される。一般的には、一方の手で被測定物を保持し、もう一方の手でノギスを支えながら操作して被測定物の長さを測定する。そして、機械部品の製造現場等では、作業者はノギスで測定した値を例えば記録表等に記入するか、ＰＣに入力等して記録する。
【００１０】
ここで、被測定物の保持と、ノギスの支持及び操作と、を片手だけでするのは、ノギスの形状、大きさ等から困難である。そのため、多数の被測定物に対して次々と測定を実施する場合、作業者は測定の度にノギスを置いてから測定値を記録して、次の測定のために再びノギスを持ち直さなければならず、手間がかかり効率が悪い。特に、被測定物の数量が多くなるほどその弊害が顕著となり、さらには、作業者の測定ミスを生じる原因になる場合もある。
【００１１】
本発明はかかる問題に鑑みてなされたものであり、その目的とするところは、ノギスを用いた測定作業の効率を向上できるノギス固定治具を提供することである。
【課題を解決するための手段】
【００１２】
本発明の一態様によれば、幅方向に対して垂直な長手方向に延びる本尺と、該長手方向に沿って摺動できる態様で該本尺に取り付けられたスライダーと、を備えるノギスを固定するためのノギス固定治具であって、該ノギスを支持する支持部材と、該支持部材に固定され、該支持部材に対する該ノギスの位置を決める位置決め部材と、該支持部材に該ノギスを固定する固定部材と、を有し、該位置決め部材は、該支持部材に接する第１面と、該第１面とは反対側の第２面と、を有する基部と、該基部の該第２面側に立設され、該幅方向において該スライダーを把持する一対の把持部と、を含み、該固定部材は、該スライダーに対して該本尺を摺動できるように該スライダーを該一対の把持部の間に固定することを特徴とするノギス固定治具が提供される。
【発明の効果】
【００１３】
本発明の一態様に係るノギス固定治具によると、該ノギス固定治具の位置決め部材の一対の把持部の間にノギスのスライダーが位置付けられ、該スライダーは固定部材により固定される。スライダーが固定されても本尺は該スライダーに対して摺動可能であるため、本尺を動かして被測定物の長さを測定できる。そして、ノギスが該ノギス固定治具に支持されるため、測定中に手でノギスを支える必要がない。
【００１４】
作業者は、片手で被測定物を支持してノギスを操作することによって被測定物の長さを測定できる。これにより、もう一方の片手により測定値の記録作業ができるため、測定及び記録を迅速かつ安定的に実施できる。従来は、ノギスと、記入用のペン等と、を被測定物の数だけ交互に持ち替える必要があったが、本発明の一態様に係るノギス固定治具を用いると、持ち替えをしなくてよいため、大幅に作業量を減少させることができる。
【００１５】
以上のように、本発明の一態様により、ノギスを用いた測定作業の効率を向上できるノギス固定治具が提供される。
【図面の簡単な説明】
【００１６】
【図１】図１（Ａ）は、ノギス固定治具を示す斜視図であり、図１（Ｂ）は、ノギス固定治具にノギスを固定した状態を示す上面図である。
【発明を実施するための形態】
【００１７】
本発明に係る実施形態について説明する。図１（Ａ）は、本実施形態に係るノギス固定治具を示す斜視図である。該ノギス固定治具は、ノギスのスライダーを固定する機能を有し、被測定物の測定に際し作業者が該ノギスを支えることなく該ノギスを操作して測定できる機能を有する。図１（Ａ）に示す通り、ノギス固定治具１は、支持部材３と、位置決め部材５と、固定部材７と、を有する。
【００１８】
該支持部材３は、該ノギス固定治具１の土台であり、ノギスの本尺が摺動してノギスの重心の位置が変化してもノギスを安定的に支持できるように、所定の重量と大きさを有するように作製される。該支持部材３は、例えば、長板状に形成され、該ノギスの長手方向における長さが該本尺の該長手方向における長さよりも長くなるように作成されるとよく、また、該ノギスよりも重くなるように作成されるとよい。該支持部材３は、例えば、木材、金属材料により作成される。
【００１９】
例えば、測定作業時には、作業者が該ノギス固定治具１を作業台に載せて使用する。このとき、ノギスの本尺が所定の方向（例えば、該作業台に水平な面内）に摺動できるように、該支持部材３の該作業台と接する下面９と、該位置決め部材５が配される上面１１と、が互いに平行となるように形成される。また、例えば、該支持部材３には、上面１１に開口するねじ穴が形成されている。
【００２０】
該位置決め部材５は、支持部材３に対するノギスのスライダーの位置を決める機能を有する。該位置決め部材５は、該支持部材３に接する第１面と、該第１面とは反対側の第２面１３ａと、を有する基部１３と、該基部１３の該第２面側１３ａに立設され、該幅方向において該スライダーを把持する一対の把持部１５と、を含む。
【００２１】
該基部１３は、該第２面１３ａから該第１面に通じるねじ穴が設けられている。基部１３のねじ穴と、支持部材３のねじ穴と、の位置が合わせられ、それぞれのねじ穴を通るようにねじが締められることで、該位置決め部材５が支持部材３に固定される。
【００２２】
一対の把持部１５は、その間にノギスのスライダーを把持できるように、スライダーの幅方向の長さよりも大きい距離で互いに離間しており、また、互いの方に向いた面が平行な平面となるように形成される。なお、該一対の把持部１５の互いの方に向いた面はこれに限られず、該スライダーの外形に対応した形状で形成されてもよい。また、把持されるスライダーの破損を防止するために、固定部材７や把持部１５のスライダーと接する部分には、緩衝材が設けられてもよい。
【００２３】
該位置決め部材５は、１枚の金属平板を、基部１３となる部分と、該基部１３となる部分に隣接した一対の把持部１５となる部分と、を含む所定の形状に切断し、該基部１３となる部分と、該一対の把持部１５となる部分と、の境界で垂直に折り曲げて形成される。一対の把持部１５の一方には、例えば、固定部材７を通すための穴１５ａが形成される。
【００２４】
該固定部材７は、例えば、一対の把持部１５の一方に形成された穴１５ａに螺合可能な径を有するねじであり、該穴１５ａは、例えば、ねじ穴である。該固定部材７としてねじを用いる場合、該穴１５ａに螺合された状態の該固定部材７を締め込むと、該固定部材７の先端が該一対の把持部１５の間に置かれたノギスのスライダーを押す。そして、一対の把持部１５のうち該穴１５ａが形成されていない側に該スライダーが接触し、押圧されてスライダーが固定される。
【００２５】
次に、本実施形態に係るノギス固定治具１の使用態様について説明する。
【００２６】
図１（Ｂ）に、本実施形態に係るノギス固定治具１と、該ノギス固定治具１に固定されたノギス２と、の上面図を示す。図１（Ｂ）に示す通り、ノギス２のスライダー４は支持部材３の上面１１上の一対の把持部１５の間に配され、固定部材７により固定される。支持部材３の下面９と上面１１とが互いに平行であるため、ノギス固定治具１に支持されたノギス２の本尺６は、該ノギス固定治具１が載せ置かれる作業台等の上面に対して平行となる。
【００２７】
被測定物１０の長さの測定時には、ノギス２の本尺６の外側用ジョウ６ａと、スライダー４の外側用ジョウ４ａと、の間に被測定物１０を挟み込むように、作業者は片手で被測定物１０を支えながら本尺６を摺動させる。すると、スライダー４の表示部４ｂには測定値が表示される。
【００２８】
スライダー４がノギス固定治具１に固定されても本尺６は固定されず、スライダー４に対して長手方向８に摺動可能であるため、ノギス２を用いた長さの測定が可能である。そして、ノギス固定治具１はノギス２を支えることができるため、作業者がノギス２を支える必要がない。図１（Ｂ）に示すように、作業者は片方の手１２だけ使って被測定物１０の長さを測定できるため、測定値を読み取ってもう一方の手で記録できる。
【００２９】
複数の被測定物１０に対して次々と長さを測定し測定値を記録する作業を実施する際、本実施形態に係るノギス固定治具１を用いると、作業者は測定の度にノギス２を持ち替える必要がないため、ノギス２を用いた測定作業の効率を向上できる。
【００３０】
本実施形態に係るノギス固定治具１は、スライダー４が一対の把持部１５に把持可能な大きさであれば、様々な長さのノギスを使用できる。これは、ノギス固定治具１は、把持部１５と固定部材７とでスライダー４を幅方向側から押圧して固定するものであり、ノギス固定治具１には長手方向に本尺６と干渉しうる構造物が無いためである。
【００３１】
なお、本発明は、上記実施形態の記載に限定されず、種々変更して実施可能である。例えば、上記の実施形態では、例えば、作業台の上に該ノギス固定治具の支持部材３を載せ置いてノギス固定治具１を使用することを想定しているが、本発明はこれに限定されない。例えば、作業台の上面に位置決め部材５を取り付けてもよい。この場合、該作業台が支持部材３となる。
【００３２】
その他、上記実施形態に係る構造、方法等は、本発明の目的の範囲を逸脱しない限りにおいて適宜変更して実施できる。
【符号の説明】
【００３３】
１  ノギス固定治具
３  支持部材
５  位置決め部材
７  固定部材
９  下面
１１  上面
１３  基部
１３ａ  面
１５  把持部
１５ａ  穴
２  ノギス
４  スライダー
４ａ  スライダーの外側用ジョウ
４ｂ  表示部
６  本尺
６ａ  本尺の外側用ジョウ
８  長手方向
１０  被測定物
１２  手
【図１】
2018066606.tif 000003